(57)【特許請求の範囲】
【請求項１】
光を発生させる光源ユニットと、
前記光源ユニットが固定される光源ユニット固定フレームと、
前記光源ユニット固定フレームを内部に収納し、前記内部と外部とを連結する第１開口部及び第２開口部と底部とを有する収納容器と、を含み、
前記光源ユニット固定フレームは、前記底部に対して平行な水平部と、前記水平部の両端にそれぞれ連結される第１延長部及び第２延長部とを含み、
前記第１延長部は、前記第１開口部を通じて前記収納容器の内部から外部に延長され、前記第２延長部は、前記第２開口部を通じて前記収納容器の内部から外部に延長されることを特徴とするバックライトアセンブリ。
【請求項２】
前記収納容器は、前記底部から延長される側壁部を含むことを特徴とする請求項１に記載のバックライトアセンブリ。
【請求項３】
前記第２開口部は、前記収納容器の前記側壁部と隣接して形成されることを特徴とする請求項２に記載のバックライトアセンブリ。
【請求項４】
前記第１延長部は、少なくとも前記底部の一部とオーバーラップすることを特徴とする請求項２に記載のバックライトアセンブリ。
【請求項５】
映像を表示する表示パネルと、
前記表示パネルに光を提供する光源ユニットと、
前記光源ユニットが固定される光源ユニット固定フレームと、
前記光源ユニット固定フレームを内部に収納し、前記内部と外部とを連結する第１開口部及び第２開口部と底部とを有する収納容器と、を含み、
前記光源ユニット固定フレームは、前記底部に対して平行な水平部と、前記水平部の両端にそれぞれ連結される第１延長部及び第２延長部とを含み、
前記第１延長部は、前記第１開口部を通じて前記収納容器の外部に露出され、前記第２延長は、前記第２開口部を通じて前記収納容器の外部に露出されることを特徴とする表示装置。
【請求項６】
前記収納容器は、前記底部を囲む側壁部を含み、前記第１開口部は前記底部に形成され、前記第１延長部は少なくとも前記底部の一部とオーバーラップすることを特徴とする請求項５に記載の表示装置。
【請求項７】
前記光源ユニット固定フレームは、前記第１開口部又は前記第２開口部の辺の少なくとも一辺を固定する固定突起をさらに含むことを特徴とする請求項６に記載の表示装置。
【請求項８】
前記第２延長部は、前記水平部に対して垂直方向に延長されることを特徴とする請求項５に記載の表示装置。
【請求項９】
前記第１延長部は、少なくとも前記底部の一部とオーバーラップし、前記底部と前記第１延長部とは互いにスクリュー結合、溶接、コーキングのうち少なくとも一つの方式で結合されることを特徴とする請求項５に記載の表示装置。
【発明の詳細な説明】
【技術分野】
【０００１】
本発明は、バックライトアセンブリ及びこれを含む表示装置に関するものであって、より詳細には放熱性能が向上し、構造が簡素化されたバックライトアセンブリ及びこれを含む表示装置に関するものである。
【背景技術】
【０００２】
液晶表示装置（Ｌｉｑｕｉｄ  Ｃｒｙｓｔａｌ  Ｄｉｓｐｌａｙ：ＬＣＤ）は、現在最も広く使われているフラットパネル表示装置（Ｆｌａｔ  Ｐａｎｅｌ  Ｄｉｓｐｌａｙ：ＦＰＤ）の一つであって、電極が形成された２枚の基板とその間に挿入された液晶層とからなり、電極に電圧を印加して液晶層の液晶分子を再配列させることによって透過する光の量を調節する表示装置である。
【０００３】
受動発光装置の表示装置は、画面を表示する表示パネル及び表示パネルに光を供給するバックライトアセンブリを含む。バックライトアセンブリは光源の位置によって直下型（ｄｉｒｅｃｔ  ｔｙｐｅ）とエッジ型（ｅｄｇｅ  ｔｙｐｅ）とに区分される。
【０００４】
最近、表示装置の小型軽量化及び色再現性に対する要求が高まっている。これに伴いバックライトアセンブリの光源として、例えばＬＥＤ（Ｌｉｇｈｔ  Ｅｍｉｔｔｅｄ  Ｄｉｏｄｅ）のような点光源を利用する研究が進んでいる。特に、表示装置の性能を向上させて光源の劣化を防止するためには放熱性能の向上が必須である。
【発明の概要】
【発明が解決しようとする課題】
【０００５】
このように、表示装置の光源として使用されるＬＥＤから発生する熱を効率的に除去できる構造が必要となり、製品の軽量化及びスリム化を実現できる放熱構造が必要となった。
【０００６】
本発明が解決しようとする課題は、放熱性能が向上し、構造が簡素化されたバックライトアセンブリを提供することにある。
【０００７】
また、本発明が解決しようとする課題は、放熱性能が向上し、構造が簡素化されたバックライトアセンブリを含む表示装置を提供することにもある。
【０００８】
さらに、本発明が解決しようとする課題は、以上で言及した課題に制限されず、言及されていない他の課題も以下の記載から当業者によって明確に理解される。
【課題を解決するための手段】
【０００９】
上記技術的課題を達成するための本発明の一実施形態に係るバックライトアセンブリは、光を発生させる光源ユニットと、光源ユニットが固定される光源ユニット固定フレームと、光源ユニット固定フレームを内部に収納し、内部と外部とを連結する一つ以上の開口部を有する収納容器と、を含み、光源ユニット固定フレームの一部は、開口部を通じて収納容器の内部から外部に延長される。
【００１０】
上記他の技術的課題を達成するための本発明の一実施形態に係る表示装置は、映像を表示する表示パネルと、表示パネルに光を提供する光源ユニットと、光源ユニットが固定される光源ユニット固定フレームと、光源ユニット固定フレームを内部に収納し、内部と外部とを連結する開口部を有する収納容器と、を含み、光源ユニット固定フレームの一部は開口部を通じて収納容器の外部に露出される。
【００１１】
その他の実施形態の詳細な内容は本発明の詳細な説明及び図面に記載されている。
【発明の効果】
【００１２】
本発明によれば、放熱性能が向上し、構造が簡素化されたバックライトアセンブリ又は放熱性能が向上し、構造が簡素化されたバックライトアセンブリを含む表示装置を提供することができる。
【図面の簡単な説明】
【００１３】
【図１】本発明の一実施形態に係る表示装置の分解斜視図である。
【図２】図１に示す表示装置をＡ−Ａ’線に沿って切断した断面図である。
【図３】図１に示す表示装置に含まれる下部収納容器の部分斜視図である。
【図４】図１に示す表示装置に含まれる光源ユニット固定フレームの部分斜視図である。
【図５】図３に示す下部収納容器と図４の光源ユニット固定フレームの部分結合斜視図である。
【図６】図３に示す下部収納容器と図４の光源ユニット固定フレームの部分結合平面図である。
【図７】図１に示す表示装置に含まれる下部収納容器、中間フレーム、光源ユニット固定フレーム及び上部収納容器の部分切開斜視図である。
【図８】図１に示す表示装置の結合方式を説明するための断面図である。
【図９】本発明の他の一実施形態に係る表示装置の断面図である。
【図１０】図９に示す表示装置に含まれる下部収納容器及び光源ユニット固定フレームの部分斜視図である。
【図１１】図９に示す表示装置に含まれる光源ユニット固定フレームの部分斜視図である。
【図１２】図９に示す表示装置に含まれる下部収納容器と光源ユニット固定フレームの底面図である。
【図１３Ａ】図９に示す下部収納容器と光源ユニット固定フレームの固定方式を説明するための断面図である。
【図１３Ｂ】図９に示す下部収納容器と光源ユニット固定フレームの固定方式を説明するための断面図である。
【図１４】図９に示す下部収納容器、光源ユニット固定フレーム、及び光源ユニットの結合関係を説明するための部分斜視図である。
【図１５】図９に示す表示装置の部分底面図である。
【図１６】他の一実施形態における表示装置の断面図である。
【発明を実施するための形態】
【００１４】
本発明の利点、特徴、及びこれらを達成する方法は、添付の図面と共に詳細に後述される実施形態を参照することで明確になる。しかし、本発明は以下に開示される実施形態に限定されるものではなく、互いに異なる多様な形態で実施されてもよい。本実施形態は、単に本発明の開示が完全になるように、本発明の属する技術分野において通常の知識を有する者に対して発明の範囲を完全に知らせるために提供されるものであり、本発明は、特許請求の範囲によってのみ定義される。図面において層及び領域のサイズ並びに相対的なサイズは説明の明瞭化のために誇張されてもよい。
【００１５】
素子（ｅｌｅｍｅｎｔｓ）又は層が、異なる素子又は層の「上（ｏｎ）」にあると言及される場合は、他の素子又は層の真上にある場合だけでなく、中間に他の層又は他の素子が介在する場合をすべて含む。これに対し、一つの素子が他の素子の「すぐ上（ｄｉｒｅｃｔｌｙ  ｏｎ）」にあると言及される場合は、中間に他の素子又は層が介在しない場合を示す。「及び／又は」は、言及されたアイテムの各々及び一つ以上のすべての組合せを含む。
【００１６】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示されているように、一つの素子又は構成要素と他の素子又は構成要素との相関関係を容易に記述するために使用されてもよい。空間的に相対的な用語は、図面に示されている方向に加えて、使用時又は動作時における素子の互いに異なる方向を含む用語として理解されなければならない。明細書全体において、同一参照符号は同一構成要素を指す。
【００１７】
本明細書で記述する実施形態は、本発明の理想的な実施形態の概略的な断面図を参考にして説明される。したがって、製造技術又は許容誤差などによって、例示された図の実施形態は変形されてもよい。したがって、本発明の実施形態は、図示された特定の形態に制限されるものではなく、製造工程において生成される形態の変化も含むものである。したがって、図面に例示された領域は概略的な属性を有し、図面に例示された領域の形態は素子の領域の特定の形態を例示するためのものであり、発明の範囲を制限するものではない。
【００１８】
以下、本発明をより詳細に説明するために本発明に係る実施形態を添付の図面を参照してより詳細に説明する。
【００１９】
以下、図１から図８を参照して本発明の一実施形態におけるバックライトアセンブリ及び表示装置について詳細に説明する。図１は、本発明の一実施形態における表示装置の分解斜視図である。図２は、図１に示す表示装置をＡ−Ａ’線に沿って切断した断面図である。
【００２０】
表示装置１は、映像を表示する表示パネルアセンブリ１２０及び表示パネルアセンブリ１２０に光を提供するバックライトアセンブリ１０を含む。
【００２１】
表示パネルアセンブリ１２０は、バックライトアセンブリ１０から光を受けて映像を表示する部分である。バックライトアセンブリ１０から光を受けて映像を表示する表示パネルアセンブリ１２０のパネル構造はいかなる構造でもよく、本明細書上では液晶表示パネルを一実施形態として説明するが、これに限定されるものではない。
【００２２】
表示パネルアセンブリ１２０は、第１基板１１１、第２基板１１２、及びこれらの表面に配置された偏光板１１３、１１４を含む表示パネル１１０、液晶（図示せず）、ゲート駆動部１１６、軟質フィルム１１７並びに印刷回路基板１１８を含む。
【００２３】
表示パネル１１０は、ゲートライン（図示せず）、データライン（図示せず）、及び画素電極などを含む第１基板１１１と、ブラックマトリックス（ｂｌａｃｋ  ｍａｔｒｉｘ）、カラーフィルタ、及び共通電極などを含み、第１基板１１１に対向するように配置された第２基板１１２、第１基板１１１の下部に配置された偏光板１１３、並びに第２基板１１２上部に配置された偏光板１１４を含む。カラーフィルタや共通電極は表示パネル１１０の種類によっては第１基板１１１に配置されてもよい。
【００２４】
前述したフラットパネル形状の基板が積層された表示パネル１１０は、後述する中間フレーム２００の上に配置される。
【００２５】
バックライトアセンブリ１０は、光源ユニット１３０、導光板１４０、光学シート１２５、中間フレーム２００、上部収納容器１８０、反射シート１５０、下部収納容器４００、及び光源ユニット固定フレーム３００を含む。
【００２６】
複数の点光源１３２が回路基板１３１の上に配置された光源ユニット１３０は、導光板１４０の側面に配置されてもよい。点光源１３２は、例えばＬＥＤ光源が使用されてもよい。このような光源ユニット１３０は必要に応じて導光板１４０の少なくとも一側面に配置されてもよい。すなわち、光源ユニット１３０は、表示パネル１１０のサイズ、輝度の均一性などを考慮して導光板１４０の一側面、両側面又は四側面すべてに形成されてもよい。
【００２７】
光源ユニット１３０は、迅速な放熱のために光源ユニット固定フレーム３００に取り付けられ、下部収納容器４００に結合されてもよい。このとき、光源ユニット１３０から発生する熱の迅速な伝達のために、光源ユニット１３０の回路基板１３１と光源ユニット固定フレーム３００との間を、熱伝導性の優れた接着テープで接着してもよい。ただし、光源ユニット１３０を光源ユニット固定フレーム３００に固定する方式はこれに限定されるものではなく、スクリュー結合、フック結合など多様な方式を用いてもよい。
【００２８】
導光板１４０は、光源ユニット１３０から提供された光を表示パネル１１０に均一に供給する。導光板１４０は、少なくともその一側に光源ユニット１３０が配置され、下部収納容器４００に収納される。導光板１４０は、例えば、表示パネル１１０のように四角形の板状に形成されてもよい。しかし、導光板１４０は、これに限定されるものではなく、ＬＥＤのような点光源１３２を使用する場合、点光源１３２の位置に応じて所定の溝又は突起などを含む多様なパターンで形成されてもよい。
【００２９】
導光板１４０は、説明の便宜上、板（ｐｌａｔｅ）と記述するが、表示装置１をスリム化するため、シート又はフィルム形状で形成されてもよい。すなわち、導光板１４０は光をガイドするための板及びフィルムをすべて含む概念で記述される。
【００３０】
導光板１４０は、光が効率よくガイドされるような透光性を有する材料、例えばＰＭＭＡ（ＰｏｌｙＭｅｔｈｙｌ  ＭｅｔｈＡｃｒｙｌａｔｅ）のようなアクリル樹脂、ポリカーボネート（ＰＣ：ＰｏｌｙＣａｒｂｏｎａｔｅ）のような材料で形成されてもよい。
【００３１】
導光板１４０の少なくとも一つの面にはパターンが形成されてもよい。例えば、導光板１４０の下面にはガイドされた光が上部に出射されるように拡散パターン（図示せず）が形成されてもよい。
【００３２】
光学シート１２５は、導光板１４０の上部に配置され、導光板１４０から伝達される光を拡散して集光する役割を果たす。光学シート１２５は拡散シート、プリズムシート、保護シートなどを含んでもよい。拡散シートは、導光板１４０から入射する光を分散させて光が部分的に密集することを防止する。プリズムシートは、一面に三角柱形状のプリズムが一定の配列をなすように形成されてもよい。プリズムシートは、拡散シート上に配置され、拡散シートで拡散された光を表示パネル１１０に対して垂直方向に集光する役割を果たす。保護シートは、プリズムシートの上に形成されてもよく、プリズムシートの表面を保護し、光を拡散させて光の分布を均一にしてもよい。
【００３３】
中間フレーム２００は、下部収納容器４００と結合し、中間フレーム２００と下部収納容器４００との間に光学シート１２５、導光板１４０、光源ユニット１３０、反射シート１５０及び光源ユニット固定フレーム３００を収納する。中間フレーム２００は、下部収納容器４００の縁に沿って形成され、中央に光学シート１２５を露出する開放窓を含む。
【００３４】
また、中間フレーム２００の上部には表示パネル１１０が配置される。このような中間フレーム２００は、表示パネル１１０の破損を防止するため、プラスチックのような柔軟な材質で形成されてもよい。
【００３５】
反射シート１５０は、導光板１４０と下部収納容器４００との間に配置され、導光板１４０の下部に放出される光を表示パネル１１０に向かうように反射させて光の効率を向上させる。
【００３６】
反射シート１５０は、例えばポリエチレンテレフタレート（ＰＥＴ：ＰｏｌｙＥｔｈｙｌｅｎｅ  Ｔｅｒｅｐｈｔｈａｌａｔｅ）からなり、反射性を有してもよく、その片方の表面は、例えば、二酸化チタンを含む拡散層でコーティングされてもよい。一方、反射シート１５０は、例えばＡｇのような金属を含む材質で形成されてもよい。
【００３７】
下部収納容器４００は、例えばステンレススチールのような剛性を有する金属材質、アルミニウム又はアルミニウム合金のように放熱特性の良い材質で形成されてもよい。本実施形態における下部収納容器４００は、表示装置１の骨格を維持し、内部に収納される各構成要素を保護する。
【００３８】
光源ユニット固定フレーム３００は、下部収納容器４００の一側に配置され、光源ユニット１３０から発生した熱を下部収納容器４００の外部に迅速に放出させる。このような光源ユニット固定フレーム３００は、放熱機能だけではなく、下部収納容器４００と結合し、表示装置１の骨格を維持する機能も共に果たす。
【００３９】
光源ユニット固定フレーム３００は、少なくとも一部が下部収納容器４００の一側に露出し、光源ユニット１３０から伝達された熱を表示装置１の外に（より具体的には下部収納容器４００の外側に）迅速に放出させる。
【００４０】
下部収納容器４００、中間フレーム２００及び光源ユニット固定フレーム３００の具体的な形状及び結合関係について図面を参照して詳細に後述する。
【００４１】
上部収納容器１８０は、中間フレーム２００上に配置された表示パネル１１０を覆うように中間フレーム２００及び下部収納容器４００と結合する。上部収納容器１８０の中央部には表示パネル１１０が露出される開放窓が形成されている。
【００４２】
上部収納容器１８０は、フック結合及び／又はねじ結合を通じて中間フレーム２００及び下部収納容器４００に締結されてもよい。これだけではなく、上部収納容器１８０と下部収納容器４００との結合は多様な形態に変形されてもよい。
【００４３】
以下、図２から図６を参照して下部収納容器４００及び光源ユニット固定フレーム３００の具体的な構造について説明する。図３は、図１に示す表示装置に含まれる下部収納容器の部分斜視図である。図４は、図１に示す表示装置に含まれる光源ユニット固定フレームの部分斜視図である。図５は、図３に示す下部収納容器と図４に示す光源ユニット固定フレームとの部分結合斜視図である。図６は、図３に示す下部収納容器と図４に示す光源ユニット固定フレームとの部分結合平面図である。
【００４４】
まず、図２及び図３を参照すると、下部収納容器４００は底部４１０と底部４１０を囲む側壁部４２０とを含む。
【００４５】
下部収納容器４００は、導光板１４０及び光源ユニット１３０などを収納し、表示装置１の剛性を維持するものであって、底部４１０及び側壁部４２０は選択的に形成されてもよい。すなわち、表示装置１の剛性が充分に維持されると判断すれば、底部４１０及び側壁部４２０のうち一部又は全部を削除してもよい。例えば、下部収納容器４００に結合される中間フレーム２００又は上部収納容器１８０によって剛性が充分に維持される場合、下部収納容器４００は底部４１０のみを含んでもよい。
【００４６】
下部収納容器４００は、第１開口部４３０及び第２開口部４６０を含み、光源ユニット固定フレーム３００の一部が下部収納容器４００の外に露出してもよい。ここで、露出した光源ユニット固定フレーム３００は、図２に示すように、上部収納容器１８０によって覆われることもあり、表示装置のケースによって隠れているため外部からは見えないこともある。第１開口部４３０は、底部４１０の少なくとも一部が切開されて形成されてもよく、第２開口部４６０は側壁部４２０の少なくとも一部が切開されて形成されてもよい。ここで、第１開口部４３０は、底部４１０の一部の領域が穿孔されて形成され、第１開口部４３０の各辺が互いに連結した閉鎖空間形状で形成されてもよく、第２開口部４６０は、側壁部４２０の一部の領域が除去され、第２開口部４６０の各辺が互いに連結しない開放空間形状で形成されてもよい。
【００４７】
ただし、第１開口部４３０及び第２開口部４６０の位置及び形状はこれに限定されるものではなく、必要に応じて多様な形状に変形してもよい。
【００４８】
第１開口部４３０は、光源ユニット１３０及び側壁部４２０の延長方向に沿って長く形成されてもよい。第１開口部４３０は、例えば、長方形形状に長く形成されてもよく、複数の区間に分割されて形成されてもよい。
【００４９】
下部収納容器４００は、第１開口部４３０の各辺の少なくとも一つに光源ユニット固定フレーム３００と結合するための屈曲部を含んでもよい。具体的には、下部収納容器４００は第１開口部４３０の一辺に形成された第１屈曲部４４０と他辺に形成された第２屈曲部４５０とを含む。
【００５０】
第１屈曲部４４０及び第２屈曲部４５０は、各々底部４１０に対して垂直方向及び水平方向に光源ユニット固定フレーム３００を固定するものでもよい。
【００５１】
第１屈曲部４４０は、底部４１０の第１開口部４３０に隣接する部分が屈曲されて形成され、第１屈曲部４４０の断面形状は「Ｌ」字形状であってもよい。第１屈曲部４４０は、底部４１０に対して平行となるように延長され、後述する光源ユニット固定フレーム３００の延長部３３０と固定突起３４０との間に挿入されてもよい。このような、第１屈曲部４４０は光源ユニット固定フレーム３００の隣接部に沿って連続的に形成されてもよく、光源ユニット固定フレーム３００の隣接部に沿って不連続的に形成されてもよい。
【００５２】
第２屈曲部４５０は、底部４１０の第１開口部４３０と隣接する部分が屈曲されて形成される。第２屈曲部４５０は底部４１０に対して垂直となるように屈曲されて形成され、断面形状は「Ｌ」字形状であってもよい。すなわち、第２屈曲部４５０は底部４１０から垂直方向に突出して後述する光源ユニット固定フレーム３００の第１固定溝３５０に挿入される。このような第２屈曲部４５０は光源ユニット固定フレーム３００の隣接部に沿って連続的に形成され、又は不連続的に形成されてもよい。
【００５３】
第２開口部４６０は、側壁部４２０の少なくとも一部が切開されて形成されてもよく、第２開口部４６０を通じて光源ユニット固定フレーム３００の一端部が露出されてもよい。このような第２開口部４６０は、側壁部４２０の一端部が切開された形状だけではなく、側壁部４２０の全体が除去された形状で形成されてもよい。すなわち、側壁部４２０が形成される区間のうち少なくとも一部が除去されて光源ユニット固定フレーム３００が露出される形状であれば、いかなる形状でもよい。
【００５４】
図２及び図４を参照すると、光源ユニット固定フレーム３００は、下部収納容器４００の内側に位置する水平部３１０、下部収納容器４００の外部に露出する延長部３３０、及び垂直部３２０を含む。
【００５５】
水平部３１０は、下部収納容器４００の底部４１０に対して平行となるように配置される部分であり、水平部３１０の両端には垂直部３２０と延長部３３０とが各々連結されている。垂直部３２０は、水平部３１０の一端に水平部３１０に対して垂直方向に延長され、第２開口部４６０を通じて下部収納容器４００の外部に露出する部分である。ここで、水平部３１０及び垂直部３２０は便宜上使用する用語であって、水平部３１０が垂直部３２０に対して必ずしも垂直でなければならないものではない。垂直部３２０は水平部３１０から延長され、第２開口部４６０を通じて露出される構造であれば、いかなる形状で形成されてもよい。
【００５６】
垂直部３２０は、下部収納容器４００の側壁部４２０に対して平行となるように形成されてもよく、垂直部３２０は下部収納容器４００の底部４１０より下部にさらに延長されるように形成されてもよい。垂直部３２０の面積は放熱効果などを考慮して適切に形成されてもよい。
【００５７】
延長部３３０は、光源ユニット固定フレーム３００の水平部３１０の一端に延長され、底部４１０に対して水平方向に延長されてもよい。延長部３３０は、第１開口部４３０を通じて下部収納容器４００の外部に露出し、少なくとも一部が底部４１０とオーバーラップするように延長される。
【００５８】
延長部３３０は、底部４１０とオーバーラップして光源ユニット固定フレーム３００を下部収納容器４００によって支持して固定する。光源ユニット固定フレーム３００と下部収納容器４００との固定方式については詳細に後述する。
【００５９】
水平部３１０の一端には延長部３３０に対して平行となるように延長された固定突起３４０が形成されている。固定突起３４０は、光源ユニット固定フレーム３００を下部収納容器４００に固定するためのものであって、固定突起３４０と延長部３３０との間に下部収納容器４００の第１屈曲部４４０が挿入される。
【００６０】
固定突起３４０は、固定突起３４０と延長部３３０との間に下部収納容器４００の第１屈曲部４４０が挿入されるように延長部３３０から離隔されて形成される。固定突起３４０は、延長部３３０に沿って連続的に又は不連続的に形成されてもよい。
【００６１】
一方、光源ユニット固定フレーム３００は、下部収納容器４００の第２屈曲部４５０及び中間フレーム２００の突起部２１０が挿入される第１固定溝３５０と第２固定溝３６０とを含む。
【００６２】
第１固定溝３５０は、下部収納容器４００の第２屈曲部４５０が挿入されるように凹形状で形成されてもよく、垂直部３２０に対して平行方向に湾入され、第２屈曲部４５０を底部４１０に対して水平方向に固定する。
【００６３】
第２固定溝３６０は、中間フレーム２００の突起部２１０が挿入されるように凹形状に湾入されて形成されてもよい。このような第１固定溝３５０及び第２固定溝３６０は下部収納容器４００の側壁部４２０に沿って連続的に又は不連続的に形成されてもよく、第１固定溝３５０及び第２固定溝３６０のサイズ及び位置は必要に応じて多様に変形されてもよい。
【００６４】
光源ユニット固定フレーム３００は、Ａｌのような熱伝導性の優れた金属で製造されてもよく、圧出加工、板金加工などの多様な方式で形成されてもよい。
【００６５】
図２、図５及び図６を参照して、下部収納容器４００と光源ユニット固定フレーム３００の結合構造について詳細に説明する。
【００６６】
光源ユニット固定フレーム３００は、下部収納容器４００の一端に固定される。このとき、光源ユニット固定フレーム３００の延長部３３０と垂直部３２０とは、各々第１開口部４３０及び第２開口部４６０を通じて下部収納容器４００の外部に露出する。
【００６７】
特に、延長部３３０は、第１開口部４３０を通じて下部収納容器４００の外側に突出し、少なくとも底部４１０の一部とオーバーラップするように延長される。このとき、延長部３３０に対して平行となるように突出した固定突起３４０と延長部３３０との間には下部収納容器４００の第１屈曲部４４０が挿入される。このような方式で光源ユニット固定フレーム３００は下部収納容器４００の垂直方向に固定される。このとき、第１開口部４３０は、光源ユニット固定フレーム３００の水平部３１０の一部を露出してもよい。
【００６８】
一方、下部収納容器４００の第２屈曲部４５０は、光源ユニット固定フレーム３００の第１固定溝３５０に挿入され、光源ユニット固定フレーム３００を下部収納容器４００の垂直方向に固定する。
【００６９】
光源ユニット固定フレーム３００の垂直部３２０は、第２開口部４６０を通じて下部収納容器４００の外部に露出し、垂直部３２０は、底部４１０の下部に延長され、光源ユニット固定フレーム３００と下部収納容器４００との間の水平結合力を高める。
【００７０】
また、光源ユニット固定フレーム３００が下部収納容器４００の外に露出しても全体モジュールの厚さを増加させないように、突出する光源ユニット固定フレーム３００の垂直部３２０の高さは回路基板１３１を支持する光源ユニット固定フレームの固定壁３１５と同じであるか又は低くてもよい。
【００７１】
光源ユニット固定フレーム３００は、下部収納容器４００とスクリュー結合方式で結合されもよい。このとき、光源ユニット固定フレーム３００の延長部３３０と下部収納容器４００の底部４１０とがスクリュー（Ｓ１）を通じて結合されてもよい。
【００７２】
光源ユニット固定フレーム３００と下部収納容器４００との結合方式は、スクリュー結合に限定されるものではなく、溶接又はコーキング（ｃａｕｌｋｉｎｇ）などの方式で結合されてもよい。
【００７３】
図７及び図８を参照して、上部収納容器１８０、中間フレーム２００、下部収納容器４００及び光源ユニット固定フレーム３００の結合関係について詳細に説明する。図７は、図１に示す表示装置に含まれる下部収納容器、中間フレーム、光源ユニット固定フレーム及び上部収納容器の部分切開斜視図である。図８は、図１に示す表示装置の結合方式を説明するための断面図である。
【００７４】
まず、中間フレーム２００は、下部収納容器４００及び光源ユニット固定フレーム３００の上部に結合される。このとき、中間フレーム２００の一端部は光源ユニット固定フレーム３００の第２固定溝３６０に挿入され、光源ユニット固定フレーム３００の垂直部３２０の一部が中間フレーム２００の挿入溝２２０に挿入される。すなわち、光源ユニット固定フレーム３００と中間フレーム２００とは互いに凹凸結合をする。
【００７５】
中間フレーム２００上には表示パネル１１０が配置され、その上部に上部収納容器１８０が結合する。上部収納容器１８０は、下部収納容器４００とスクリュー（Ｓ２）とを通じて結合してもよい。スクリュー（Ｓ２）は、上部収納容器１８０から中間フレーム２００と光源ユニット固定フレーム３００とを各々貫通して下部収納容器４００に結合される。
【００７６】
一方、下部収納容器４００と光源ユニット固定フレーム３００とは前述したようにスクリュー（Ｓ１）を利用して結合される。このとき、スクリュー（Ｓ１）は底部４１０の一部が外側に突出した突出部４７０内に結合されてもよい。
【００７７】
以下、図９から図１５を参照して、本発明の他の実施形態におけるバックライトアセンブリ及び表示装置について詳細に説明する。図９は、本発明の他の実施形態における表示装置の断面図である。
【００７８】
本発明の他の実施形態におけるバックライトアセンブリ及び表示装置は、光源ユニット固定フレームの水平部及び垂直部が下部収納容器の外に完全に露出するように形成される。すなわち、光源ユニット固定フレームが結合される下部収納容器の一側部から側壁部が完全に除去される。本発明の他の実施形態について説明する際には、前述した実施形態で説明した構成要素に対して同一の参照符号を付し、その説明は省略する。
【００７９】
図９は、本発明の他の実施形態に係る表示装置の断面図である。図１０は、図９に示す表示装置に含まれる下部収納容器及び光源ユニット固定フレームの部分斜視図である。図１１は、図９に示す表示装置に含まれる光源ユニット固定フレームの部分斜視図である。
【００８０】
下部収納容器４０１は、底部４１０と第１屈曲部４４０とを含む。第１屈曲部４４０は下部収納容器４０１の一端部が屈曲されて形成されてもよい。具体的には、第１屈曲部４４０は下部収納容器４０１の末端部に形成されてもよい。すなわち、下部収納容器４０１の末端部には第１屈曲部４４０が形成され、光源ユニット固定フレーム３０１が下部収納容器４０１に結合されて延長されてもよい。したがって、光源ユニット固定フレーム３０１は、固定突起３４０を除いて下部収納容器４０１の外部に完全に露出してもよい。
【００８１】
光源ユニット固定フレーム３０１が下部収納容器４０１の外部に完全に露出することによって放熱効果を極大化してもよい。
【００８２】
一方、光源ユニット固定フレーム３０１の垂直部３２０は、下部収納容器４０１の一側壁の役割を果たしてもよい。下部収納容器４０１と光源ユニット固定フレーム３０１とは、互いに異なる材質から個別に形成されてもよく、同一の材質から共に形成されてもよい。したがって、光源ユニット固定フレーム３０１と下部収納容器４０１とは結合することによって一つの収納容器を構成する分割型収納容器形状であってもよい。
【００８３】
光源ユニット固定フレーム３０１の一側には光源ユニット１３０の配線（図１４の符号１３３参照）が挿入される配線挿入溝３７０が形成されている。配線挿入溝３７０は、光源ユニット固定フレーム３０１の一側部から始まって光源ユニット固定フレーム３０１の背面に形成されてもよい。
【００８４】
配線挿入溝３７０は、光源ユニット１３０から延長された配線１３３を別途の接着手段を用いずに光源ユニット固定フレーム３０１に取り付けられるようにする。このような配線挿入溝３７０は光源ユニット１３０に電源を供給する電源供給部（図示せず）まで形成されてもよい。
【００８５】
図１２から図１５を参照して、下部収納容器４０１と光源ユニット固定フレーム３０１の結合構造について詳細に説明する。
【００８６】
図１２は、図９に示す表示装置に含まれる下部収納容器と光源ユニット固定フレームの底面図である。図１３Ａ及び図１３Ｂは図９に示す下部収納容器と光源ユニット固定フレームの固定方式を説明するための断面図である。図１４は、図９に示す下部収納容器、光源ユニット固定フレーム、及び光源ユニットの結合関係を説明するための部分斜視図である。図１５は、図９に示す表示装置の部分底面図である。
【００８７】
光源ユニット固定フレーム３０１は、下部収納容器４０１の一側に延長され結合される。光源ユニット固定フレーム３０１と下部収納容器４０１とはスクリュー結合方式で結合されてもよい。
【００８８】
スクリュー結合方式は、図１３Ａ及び図１３Ｂに示すように、多様な方式を用いてもよい。ここで、図１３Ａ及び図１３Ｂは図９に示す領域Ｂに対応する部分を示すものであって、スクリュー結合方式により光源ユニット固定フレーム３０１と下部収納容器４０１とが結合された形状を示すものである。
【００８９】
まず、図１３Ａを参照すると、前述したように下部収納容器４０１の第１屈曲部４４０が光源ユニット固定フレーム３０１の延長部３３０及び固定突起３４０の間に挿入される。下部収納容器４０１は、下部に突出した突出部４７０ａを含んでおり、突出部４７０ａの内側には延長穴４７５が形成されている。このとき、スクリュー（Ｓ１）は光源ユニット固定フレーム３０１の下部に結合され、下部収納容器４０１の底部４１０と光源ユニット固定フレーム３０１の延長部３３０とを固定させる。
【００９０】
突出部４７０内側に形成された延長穴４７５はスクリュー（Ｓ１）が固定できる面積を確保し、下部収納容器４０１と光源ユニット固定フレーム３０１とを硬く固定できるようにする。
【００９１】
図１３Ｂを参照すると、スクリュー（Ｓ１’）が下部収納容器４０１の内側から挿入され、底部４１０と延長部３３０とを各々貫通し、光源ユニット固定フレーム３０１を下部収納容器４０１の突出部４７０ｂに固定する。このとき、延長部３３０の厚さが厚い場合、スクリュー（Ｓ１’）は延長部３３０を貫通しなくてもよい。
【００９２】
図１４を参照すると、光源ユニット１３０から延長された配線１３３は光源ユニット固定フレーム３０１の一側に形成された配線挿入溝３７０を通じて光源ユニット固定フレーム３０１の外部に露出される。
【００９３】
配線挿入溝３７０は、光源ユニット固定フレーム３０１の一側から始まって光源ユニット固定フレーム３０１の背面に延長される。したがって、配線１３３は配線挿入溝３７０を通じて光源ユニット固定フレーム３０１の外部に露出すると共に配線挿入溝３７０によって固定されて必要な位置まで誘導されてもよい。
【００９４】
図１５は、本発明の他の一実施形態における表示装置で使用される光源ユニット固定フレームを説明するための図である。説明の便宜のため、本発明の一実施形態に係る表示装置で使用される光源ユニット固定フレーム（例えば、図４の参照符号３００）との差異を中心に説明する。
【００９５】
図１５を参照すると、光源ユニット固定フレーム（図４の参照符号３００）は突出部（図４の参照符号３３０）の幅が一定であるのに対し、光源ユニット固定フレーム３００ａの突出部３３０ａの幅は一定でないこともある。
【００９６】
突出部３３０ａの幅は発熱分布に応じて変わる。例えば、発熱が相対的に多く発生する部分は幅を広くし、発熱が相対的に少なく発生する部分は幅を狭くしてもよい。このように、突出部３３０ａの幅を発熱分布に応じて変化させることにより、表示装置から発生した熱をうまく拡散させることができる。
【００９７】
図１５では突出部３３０ａのコーナー部３３０ｂの幅（Ｗ１）が突出部３３０ａの中間部３３０ｃの幅（Ｗ２）より広いものを示すが、これに限定されるものではない。したがって、図１５の場合には、コーナー部３３０ｂから発生した熱を他の部分に拡散させてコーナー部３３０ｂの熱的ストレスを減らすことができる。
【００９８】
一方、図示していないが、光源ユニットが配置された回路基板を支持する光源ユニット固定フレームの固定壁が下部収納容器の側部と物理的に接触してもよい。
【００９９】
図１６は、本発明のさらに他の一実施形態に係る表示装置の断面図である。
【０１００】
図１６を参照すると、本発明のさらに他の一実施形態に係る表示装置は、光源ユニット固定フレーム３００の下面にパターンが形成されている。したがって、光源ユニット固定フレーム３００の表面積を増加させて放熱効果を増加させることができる。
【０１０１】
また、前記実施形態とは異なり、光源ユニット１３０の後方にあった中間フレーム２００の突起部２１０が除去され、光源ユニット固定フレーム３００の第２固定溝３６０などが除去されている。したがって、表示装置の幅を減らすことができる。
【０１０２】
また、前記実施形態では中間フレーム２００の端部が光学シート１２５に接触するように配置されるが、さらに他の一実施形態では中間フレーム２００の下部が光学シート１２５に接触するように配置される。
【０１０３】
また、図９に示す実施形態とは異なり、光源ユニット固定フレーム３００の側部が中間フレーム２００の側部から突出しないように形成されている。これによって表示装置の外観を改善することができる。
【０１０４】
以上、添付の図面を参照し、本発明の実施形態について説明したが、本発明の属する技術分野における通常の知識を有する者は、本発明が、その技術的思想や必須の特徴を変更しない範囲内において他の具体的な形態で実施されてもよいことを理解することができる。したがって、上記実施形態はすべての面において例示的なものであり、限定するものではないと理解しなければならない。
【図１】
0005592748.tif 000002
【図２】
0005592748.tif 000003
【図３】
0005592748.tif 000004
【図４】
0005592748.tif 000005
【図６】
0005592748.tif 000006
【図７】
0005592748.tif 000007
【図８】
0005592748.tif 000008
【図９】
0005592748.tif 000009
【図１０】
0005592748.tif 000010
【図１１】
0005592748.tif 000011
【図１２】
0005592748.tif 000012
【図１３Ａ】
0005592748.tif 000013
【図１３Ｂ】
0005592748.tif 000014
【図１４】
0005592748.tif 000015
【図１５】
0005592748.tif 000016
【図１６】
0005592748.tif 000017
【図５】
0005592748.tif 000018